(57)【要約】【目的】階段昇り降り時の生じる騒音を有効に軽減し得る階段用踏段を提供する。【解決手段】左右方向に長い段板部２とこの段板部２の後側端部から立ち上がる蹴込み板部３とからなる横断面略Ｌ字形の階段用踏段１であって、金属板によって横断面略Ｌ字形の中空状踏段本体４を形成し、この中空状踏段本体４内に充填材５を充填することによって、段板部２と蹴込み板部３とを一体に形成している。【選択図】        図１
2004244859.tif 000002
【特許請求の範囲】
【請求項１】
左右方向に長い段板部とこの段板部の後側端部から立ち上がる蹴込み板部とからなる横断面略Ｌ字形の階段用踏段であって、金属板によって横断面略Ｌ字形の中空状踏段本体を形成し、この中空状踏段本体内に充填材を充填することにより、段板部と蹴込み板部とを一体に形成してなる階段用踏段。
【請求項２】
前記中空状踏段本体は、横断面略Ｌ字形の本体筒状部と、この本体筒状部の左右両小口を塞ぐ金属板製の小口塞ぎ板とからなる請求項１に記載の階段用踏段。
【請求項３】
前記中空状踏段本体の本体筒状部は、夫々所定形状に折曲形成された上側板材と下側板材とからなるもので、両板材の夫々前後側端部同士を内側にはぜ折りしてかしめ接合することにより筒状に形成してなる請求項２に記載の階段用踏段。
【請求項４】
前記中空状踏段本体内には、その長手方向に延びる金属板製の補強用骨枠を介在させてなる請求項３に記載の階段用踏段。
【請求項５】
請求項１〜４の何れかに記載の階段用踏段の所要数個を階段状に且つ相互に接触させることなく所要間隔をおいて並置すると共に、これら踏段の左右両側に夫々金属板製の側桁を配置して、踏段と側桁とを一体的に結合してなる階段。
【請求項６】
前記側桁は、内側金属板材と外側金属板材と両金属板材間に介在する制振シート材との３層構造からなる請求項５に記載の階段。
【請求項７】
前記側桁は、互いに異種金属板材からなる複層構造である請求項５に記載の階段。
【請求項８】
前記側桁は、同一又は異種金属板材からなる複数層構造であって、金属板材の板厚が夫々ことなっている請求項５又は６に記載の階段。
【請求項９】
前記踏段と側桁とは、側桁に設けたボルト挿通孔から挿通させたボルトを、前記中空状踏段本体の小口塞ぎ板に取り付けたナットにねじ込んで締め付けることによって、一体的に結合されてなる請求項５〜８の何れかに記載の階段。
【発明の詳細な説明】
【０００１】
【発明の属する技術分野】
本発明は、階段用の踏段及びこの踏段を備えた階段に関するものである。
【０００２】
【従来の技術】
例えば２階建鉄骨構造の共同住宅などに従来より採用されている鉄骨階段は、階段状に所要数個並べた踏段を側桁（ささら桁とも言う）で左右両側から挟むように固定したものであるが、各踏段が鋼板のみで形成されていることから、階段を昇り降りする時に金属音の混じった大きな騒音が生じ、それがために鉄骨構造の共同住宅は、鉄筋コンクリート構造の共同住宅と比較して、住宅の商品価値が低く位置づけられている。このような鉄骨階段の昇り降り時に生じる騒音を軽減するために、踏段の段板部を、中空状の金属枠内にモルタルなどを充填したものによって形成した踏段が提案されている（例えば、特許文献１参照）。
【０００３】
【特許文献１】
特開平８−２８４３５５号公報（第２〜４頁、図１）
【０００４】
【発明が解決しようとする課題】
上記従来の踏段では、段板部は金属枠内にモルタルなどを充填したものによって形成されているが、踏段の蹴込み板部は段板部の金属枠から一体に延設された金属板で形成され、しかも下段側踏段の金属枠と上段側踏段の金属枠とが上記金属板からなる蹴込み板部でつながるように構成されているため、階段の昇り降り時に段板部で生じた振動が蹴込み板部に伝搬して、この蹴込み板部で金属音を発生し、更にこの蹴込み板部での金属音が上下に隣合う踏段の金属枠に伝搬して、大きな騒音を発生すると言う問題がある。
【０００５】
本発明は、上記の課題に鑑み、階段昇り降り時の生じる騒音を有効に軽減し得る階段用踏段及びこの踏段を備えた階段を提供することを目的とする。
【０００６】
【課題を解決するための手段】
請求項１に係る発明の階段用踏段は、左右方向に長い段板部２とこの段板部２の後側端部から立ち上がる蹴込み板部３とからなる横断面略Ｌ字形の階段用踏段１であって、金属板によって横断面略Ｌ字形の中空状踏段本体４を形成し、この中空状踏段本体４内に充填材５を充填することにより、段板部２と蹴込み板部３とを一体に形成してなることを特徴とする。
【０００７】
請求項２は、請求項１に記載の階段用踏段において、前記中空状踏段本体４は、横断面略Ｌ字形の本体筒状部４ａと、この本体筒状部４ａの左右両小口を塞ぐ金属板製の小口塞ぎ板４ｂ，４ｂとからなることを特徴とする。
【０００８】
請求項３は、請求項２に記載の階段用踏段において、前記中空状踏段本体４の本体筒状部４ａは、夫々所定形状に折曲形成された上側板材４ａ１と下側板材４ａ２とからなるもので、両板材４ａ１，４ａ２の夫々前後側端部同士を内側にはぜ折りしてかしめ接合することにより筒状に形成してなることを特徴とする。
【０００９】
請求項４は、請求項３に記載の階段用踏段において、前記中空状踏段本体４内には、その長手方向に延びる金属板製の補強用骨枠６を介在させてなることを特徴とする。
【００１０】
請求項５に係る発明の階段は、請求項１〜４の何れかに記載の階段用踏段１の所要数個を階段状に且つ相互に接触させることなく所要間隔をおいて並置すると共に、これら踏段１・・・の左右両側に夫々金属板製の側桁７を配置して、踏段１・・・・と側桁７，７とを一体的に結合してなることを特徴とする。
【００１１】
請求項６は、請求項５に記載の階段において、前記側桁７は、内側金属板材７ａと外側金属板材７ｂと両金属板材７ａ，７ｂ間に介在する制振シート材７ｃとの３層構造からなることを特徴とする。
【００１２】
請求項７は、請求項５又は６に記載の階段において、前記側桁７は、互いに異種金属板材７ａ，７ｂからなる複層構造であることを特徴とする。
【００１３】
請求項８は、請求項５又は６に記載の階段において、前記側桁７は、同一又は異種金属板材からなる複数層構造であって、金属板材の板厚が夫々異なっていることを特徴とする。
【００１４】
請求項９は、請求項５〜８の何れかに記載の階段において、前記踏段１と側桁７とは、側桁７に設けたボルト挿通孔９から挿通させたボルト１１を、前記中空状踏段本体４の小口塞ぎ板４ｂに取り付けたナット８にねじ込んで締め付けることによって、一体的に結合されてなることを特徴とする。
【００１５】
【発明の実施の形態】
図１は本発明に係る階段の一部を示す断面図、図２の（Ａ）は図１のイ−イ線断面図、（Ｂ）は図１のロ−ロ線断面図である。これらの図において１は、左右方向に長い段板部２と、この段板部２の後側端部から立ち上がる蹴込み板部３とからなる横断面略Ｌ字形の踏段である。この踏段１は、図１から分かるように、金属板によって横断面略Ｌ字形の中空状踏段本体４を形成し、この中空状踏段本体４内に充填材５を充填することによって、段板部２と蹴込み板部３とを一体に形成してなるものである。
【００１６】
中空状踏段本体４は、図１及び図２に示すように、横断面略Ｌ字形の本体筒状部４ａと、この本体筒状部４ａの左右両小口を塞ぐ金属板製の小口塞ぎ板４ｂとから構成される。そして、横断面略Ｌ字形の本体筒状部４ａは、図１及び図３に示すように、断面略々Ｌ字形に折曲形成された上側板材４ａ１と、断面略々Ｉ字形の下側板材４ａ２とからなるもので、上下両板材４ａ１，４ａ２の夫々前後側端部ａ１，ａ２同士をはぜ折りしてかしめ接合することによって横断面略Ｌ字形の筒状に形成される。図面には、上下両板材４ａ１，４ａ２のかしめ接合部をＫ１で示す。
【００１７】
中空状踏段本体４の小口塞ぎ板４ｂは、図２及び図４に示すように、周側壁部４ｂ１と底壁部４ｂ２とで断面コ字状に形成されたもので、その底壁部４ｂ２を本体筒状部４ａの小口内に突入嵌合させた状態で、周側壁部４ｂ１を本体筒状部４ａに対してかしめ結合することにより、本体筒状部４ａの左右小口に一体的に取り付けられる。そのかしめ接合部を図４にＫ２で示している。尚、小口塞ぎ板４ｂを本体筒状部４ａの小口内に嵌合させる際に、本体筒状部４ａのかしめ接合部Ｋ１に対応する周側壁部４ｂ１の部分は、切除されるか又は折り曲げられる。
【００１８】
この踏段１を製作するには、上側板材４ａ１と下側板材４ａ２の夫々前後側端部ａ１，ａ２同士をはぜ折りしてかしめ接合することにより図３に示すような横断面略Ｌ字形の本体筒状部４ａを形成し、この本体筒状部４ａの左右小口内に夫々小口塞ぎ板４ｂを突入嵌合させて周側壁部４ｂ１を本体筒状部４ａに対してかしめ結合することにより密閉中空状の踏段本体４を形成する。そして、この密閉中空状踏段本体４内に充填材５を充填することによって、図１及び図２に示すような段板部２と蹴込み板部３とが一体となった横断面略Ｌ字形の踏段１が形成される。
【００１９】
充填材５としては、セメント系気泡ミルク、コンクリート、発泡ウレタンが使用される。尚、この充填材５を中空状踏段本体４内に充填する時は、片方の小口塞ぎ板４ｂに充填用の孔（図示省略）を開けておいて、この孔から充填を行えばよい。
【００２０】
また、中空状踏段本体４を形成する上側板材４ａ１及び下側板材４ａ２としては、厚さ０．８〜２．５ｍｍ程度の鋼板、ステンレス板、アルミニウム板などが使用され、そして鋼板としては、メッキ鋼板、塗装鋼板などが使用される。小口塞ぎ板４ｂには、踏段本体４を形成する板材４ａ１，４ａ２よりも若干厚い鋼板、ステンレス板、アルミニウム板などが使用される。
【００２１】
また、この中空状踏段本体４を形成する際には、図１に仮想線で例示するように、例えば段板部２を形成する上側板材４ａ１及び下側板材４ａ２との間に、その長手方向に延びる金属板製の補強用骨枠６を介在させることによって、中空状踏段本体４、特に本体筒状部４ａの強度の増大を図ることができる。もちろん、蹴込み板部３を形成する上側板材４ａ１及び下側板材４ａ２との間にも同様な補強用骨枠６を介在させることができる。この補強用骨枠６は、例えば断面略Ｚ字形の鋼板からなるものである。
【００２２】
上記のような構成の踏段１を使用して階段を形成するには、所要数個の踏段１・・・を階段状に且つ相互に接触させることなく所要間隔をおいて並置すると共に、これら踏段１・・・の左右両側に夫々金属板製の側桁（がわけた）７，７を配置して、踏段１・・・と両側桁７，７とを一体的に結合することによって、図１に示すような階段が形成される。
【００２３】
側桁７は、図２（Ａ），（Ｂ）及び図５の（Ａ）に示すように、内側金属板材７ａと外側金属板材７ｂと内外両金属板材７ａ，７ｂとの間に介在する制振シート材７ｃとの３層構造からなるもので、内外各金属板材７ａ，７ｂは例えば厚さ６ｍｍの鋼板からなり、制振シート材７ｃは例えば厚さ３ｍｍのゴムシートからなる。尚、これら金属板材７ａ，７ｂ及び制振シート材７ｃは、接着剤によって互いに接着してもよいが、後述するように、必ずしも接着する必要はなく、そのまま重ね合わせた状態にしておいてもよい。
【００２４】
上記のように側桁７を３層構造にすることによって、側桁７自体に制振効果をもたせることができると共に、中間層の制振シート材７ｃによってその制振効果をより有効に発揮させることができる。またこの場合、例えば内側金属板材７ａに９ｍｍの鋼板を使用し、外側金属板材７ｂに３ｍｍの鋼板を使用するなど、内側金属板材７ａと外側金属板材７ｂの厚みを変えることによって、側桁７の制振効果を更に有効に発揮させることができる。
【００２５】
踏段１と側桁７との組み付けにあたっては、図２及び図４から分かるように、中空状踏段本体４の組立前に予め小口塞ぎ板４ｂの底壁部４ｂ２の所要部にインサートナット８をかしめによって取り付けておき、また側桁７には小口塞ぎ板４ｂのインサートナット８と対応する位置にボルト挿通孔９を設けておく。
【００２６】
しかして、所要数個の踏段１・・・を階段状に且つ相互に接触させることなく所要間隔をおいて並置すると共に、これら踏段１・・・の左右両側に側桁７，７を配置した状態で、図４に示すように、各側桁７の外側から座金１０を介してボルト挿通孔９に挿通したボルト１１を、踏段１の小口塞ぎ板４ｂ内に突出しているインサートナット８にねじ込んで締め付けることにより、各踏段１と側桁７とを一体的に結合する。
【００２７】
この踏段１と側桁７とを組み付ける際に、３層構造からなる側桁７の各層が互いに接着されることなく、単に重ね合わさった状態にあっても、上記ボルト１１の締め付けによって、側桁７の両金属板材７ａ，７ｂと制振シート材７ｃとが互いに接合されて３層が一体となり、同時にこの３層一体の側桁７が踏段１と一体に結合される。
【００２８】
以上説明したように構成される階段によれば、先ず、各踏段１は、金属板によって横断面略Ｌ字形に形成した密閉中空状の踏段本体４内に充填材５を充填することにより、段板部２と蹴込み板部３とを一体に形成したものであって、金属材のみで形成した部分が無いため、階段昇り降り時に段板部にかかる衝撃や振動によって段板部２それ自体及び蹴込み板部３で金属音を発生することがなくなり、従ってそのような金属音による耳障りな騒音の発生を回避することができる。
【００２９】
また、各踏段１の中空状踏段本体４は、横断面略Ｌ字形の本体筒状部４ａと、この本体筒状部４ａの左右両小口を塞ぐ金属板製の小口塞ぎ板４ｂ，４ｂとからなるもので、構造が簡単であるから、製作が容易となる。また、この中空状踏段本体４の本体筒状部４ａは、断面略々Ｌ字形に折曲形成された上側板材４ａ１と、断面略々Ｉ字形の下側板材４ａ２とからなるもので、これら上側板材４ａ１と下側板材４ａ２の夫々前後側端部ａ１，ａ２同士を内側にはぜ折りしてかしめ接合することによって形成されるから、上下両板材４ａ１，４ａ２の接合部の強度が大きく、頑強な一体構造の本体筒状部４ａを容易に製作することができ、そしてかしめ接合部Ｋ１が内側に突出するため、遮音性能が向上し、外観も美麗となると共に、上下板材４ａ１，４ａ２としてメッキ鋼板や塗装鋼板を用いる場合、その鋼板の切断端面である鉄素地面が、本体筒状部４ａの内部に充填されるモルタルなどの充填材５で被覆されて空気と遮断されるため、鉄素地面からの錆の発生を防止できる。
【００３０】
また、中空状踏段本体４の小口塞ぎ板４ｂは、その底壁部４ｂ２を本体筒状部４ａの小口内に突入嵌合させた状態で、周側壁部４ｂ１を本体筒状部４ａにかしめ結合することによって本体筒状部４ａの左右小口に一体的に取り付けられるから、本体筒状部４ａの小口が密封状態に閉塞されると共に、本体筒状部４ａとの接合部の強度が大きく、頑強な中空状踏段本体４を形成することができる。
【００３１】
そして、この踏段１を使用して形成される階段は、所要数個の踏段１相互に接触させることなく所要間隔をおいて並置すると共に、これら踏段１・・・の左右両側に夫々金属板製の側桁７，７を配置して、踏段１・・・と両側桁７，７とを一体的に結合して形成されるものであって、上下に隣合う踏段１，１相互が完全に縁を切られて不連続状態となるため、階段昇り降り時に各踏段１にかかる衝撃による振動や音が階段全体に伝播することがなくなって、階段昇り降り時の騒音の発生を最小限に抑えることができる。
【００３２】
また、この階段では、側桁７が、内側金属板材７ａと外側金属板材７ｂと両金属板材７ａ，７ｂの間に介在する制振シート材７ｃとの３層構造からなるため、階段昇り降り時に側桁７に伝わる振動や衝撃音を有効に緩和・抑制することができる。
【００３３】
また、踏段１と側桁７との組み付けにあたり、中空状踏段本体４の組立前に予め小口塞ぎ板４ｂの底壁部４ｂ２にその内側から貫通してインサートナット８を取り付けておくと共に、側桁７には小口塞ぎ板４ｂのインサートナット８と対応する位置にボルト挿通孔９を設けておいて、各側桁７の外側からボルト挿通孔９に挿通したボルト１１を、小口塞ぎ板４ｂに取り付けたインサートナット８にねじ込んで締め付けることによって、各踏段１と側桁７とを一体的に結合するから、踏段１と側桁７とを階段設置現場又は現場の近で簡単容易に組み立てることが可能となり、それによって踏段１、側桁７その他階段構成部材の運送費用の低減を図ることができる。
【００３４】
この踏段１と側桁７との組み付けにおいて、３層構造からなる側桁７の各層が互いに接着されず、単に重ね合わさった状態であっても、ボルト１１の締め付けによって、側桁７の両金属板材７ａ，７ｂと制振シート材７ｃとが互いに接合されて３層が一体となるから、各金属板材７ａ，７ｂと制振シート材７ｃとを一々接着剤で張り付ける必要がなく、それによって生産性の向上が図られる。また、階段解体時の分別回収も容易となる。
【００３５】
図５の（Ａ）は上述した３層構造からなる側桁７を示す断面図である。同図の（Ｂ）は、３層構造からなる側桁７を構成する内側金属板材７ａの両端部を外側に直角に突出させて補強用のフランジ部７ａｏ，７ａｏを形成したもので、このフランジ部７ａｏ，７ａｏによって、側桁７の剛性を高めることができる。
【００３６】
また、図５の（Ｃ）は、互いに異種金属板材からなる２層構造の側桁７を示したもので、例えば、内側金属板材７ａが銅板からなり、外側金属板材７ｂが鋼板からなるものである。このように互いに異種の金属板材７ａ，７ｂを重ね合わせた２層構造の側桁７も制振効果を発揮し、階段昇り降り時に側桁７に伝わる振動や衝撃音を緩和・抑制することができる。ここでは、互いに異種金属板材からなる２層構造の側桁７について例示したが、互いに異種金属板材からなる３層以上の側桁も可能であって、より有効な制振効果を発揮することができる。更に、図示は省略するが、材質が同一又は異種の２枚以上複数の金属板材からなる側桁であって、夫々板厚の異なる金属板材からなる側桁も、制振効果を発揮することができる。
【００３７】
【発明の効果】
請求項１に係る発明の踏段は、金属板によって横断面略Ｌ字形に形成した中空状踏段本体内に充填材を充填することにより、段板部と蹴込み板部とを一体に形成したもので、金属材のみで形成した部分が無いため、階段昇り降り時に段板部にかかる衝撃や振動によって段板部それ自体や蹴込み板部で金属音を発生することがなくなり、従ってそのような金属音などによる騒音の発生を回避でき、また段板部と蹴込み板部とを一体に形成したことによって、踏段は充分に大きな剛性を有するものとなる。また、中空状踏段本体は金属板により形成されて充分な剛性を有するから、充填材は目的に合わせて選定することができる。
【００３８】
請求項２に係る発明の踏段のように、中空状踏段本体を、横断面略Ｌ字形の本体筒状部と、この本体筒状部の左右両小口を塞ぐ金属板製の小口塞ぎ板とから構成することにより、構造が簡単となって、製作が容易となる。
【００３９】
請求項３に係る発明の踏段によれば、中空状踏段本体の本体筒状部は、夫々所定形状に折曲形成された上側板材と下側板材とからなるもので、両板材の夫々前後側端部同士をはぜ折りしてかしめ接合することにより筒状に形成されるから、上下両板材の接合部の強度が大きく、頑強な一体構造の本体筒状部を容易に製作することができ、またかしめ接合部が内側に突出するため、遮音性能が向上し、外観も美麗となると共に、上下板材としてメッキ鋼板や塗装鋼板を用いる場合、その鋼板の切断端面である鉄素地面が、本体筒状部の内部に充填されるモルタルなどの充填材で被覆されて空気と遮断されるため、鉄素地面からの錆の発生を防止できる。
【００４０】
請求項４に係る発明の踏段のように、中空状踏段本体内に、その長手方向に延びる金属板製の補強用骨枠を介在させることによって、中空状踏段本体の強度の増大を図ることができる。
【００４１】
請求項５に係る発明の階段は、所要数個の踏段相互に接触させることなく所要間隔をおいて並置すると共に、これら踏段の左右両側に夫々金属板製の側桁を配置して、踏段と両側桁とを一体的に結合して形成されるものであって、上下に隣合う踏段相互が完全に縁を切られて不連続状態となるため、階段昇り降り時に各踏段１にかかる衝撃による振動や音が階段全体に伝播することがなくなって、階段昇り降り時の騒音の発生を最小限に抑えることができる。
【００４２】
請求項６に係る発明の階段によれば、側桁が内側金属板材と外側金属板材と両金属板材間に介在する制振シート材との３層構造からなるため、階段昇り降り時に側桁に伝わる振動や衝撃音を有効に緩和・抑制することができる。
【００４３】
請求項７に係る発明の階段では、側桁が互いに異種金属板材からなる複層構造であることによって、この側桁が制振効果を発揮し、階段昇り降り時に側桁に伝わる振動や衝撃音を緩和・抑制することができる。
【００４４】
請求項８に係る発明の階段では、側桁が同一又は異種金属板材からなる複数層構造であって、金属板材の板厚が夫々異なることことによって、この側桁が制振効果を発揮し、階段昇り降り時に側桁に伝わる振動や衝撃音を緩和・抑制することができる。
【００４５】
請求項９に係る発明の階段では、踏段と側桁とは、側桁に設けたボルト挿通孔から挿通させたボルトを、前記中空状踏段本体の小口塞ぎ板に取り付けたナットにねじ込んで締め付けることによって、各踏段と側桁とが一体的に結合されるようになっているから、踏段と側桁とを階段設置現場又は現場の近で簡単容易に組み立てることが可能となり、それによって踏段、側桁、その他階段構成部材の運送費用の低減を図ることができる。
【図面の簡単な説明】
【図１】本発明に係る階段の一部を示す断面図である。
【図２】（Ａ）は図１のイ−イ線断面図、（Ｂ）は図１のロ−ロ線断面図である。
【図３】中空状踏段本体の本体筒状部の拡大横断面図である。
【図４】踏段と側桁との組み付け状態を説明する斜視図である。
【図５】（Ａ）は３層構造の側桁を示す断面図、（Ｂ）は３層構造の側桁の他の例を示す断面図、（Ｃ）は互いに異種金属板材からなる２層構造の側桁を示す断面図である。
【符号の説明】
１              踏段
２              段板部
３              蹴込み板部
４              中空状踏段本体
４ａ            本体筒状部
４ｂ            小口塞ぎ板
４ａ１            上側板材
４ａ２            下側板材
５              充填材
６              補強用骨枠
７              側桁
７ａ            内側金属板材
７ｂ            外側金属板材
７ｃ            制振シート材
８              インサートナット
９              ボルト挿通孔
１１            ボルト
【図１】
2004244859.tif 000003
【図２】
2004244859.tif 000004
【図３】
2004244859.tif 000005
【図４】
2004244859.tif 000006
【図５】
2004244859.tif 000007